【事件の表示】
　特許第３１２８３４６号「給湯風呂装置」の請求項１に係る特許に対する特許異議の申立てについて、次のとおり決定する。
【結　論】
　訂正を認める。
　特許第３１２８３４６号の請求項１に係る特許を取り消す。
【理　由】
１．手続の経緯
　特許第３１２８３４６号の請求項１に係る発明についての出願は、平成４年９月２１日に特許出願され、平成１２年１１月１０日にその発明について特許権の設定登録がなされ、その後、平成１３年７月２６日付けでその特許について、異議申立人青野哲巳より特許異議の申立がなされ、そして、取消理由が通知され、その指定期間内である平成１４年６月２５日に訂正請求がなされ、訂正拒絶理由が通知され、その指定期間内である平成１４年１０月１６日に手続補正書が提出され、さらに手続補正指令書（方式）に対して平成１５年１月２８日に手続補正書が提出されたものである。
　
２．訂正の適否についての判断
（１）平成１４年１０月１６日付け手続補正書による補正の適否
　同補正は、平成１４年６月２５日付け訂正請求書における訂正事項の「水位設定手段の出力」を「水位検出手段の出力」と補正するものであるが、これは軽微な瑕疵の補正であるから、訂正請求書の要旨を変更するものではない。
　
　よって、当該補正は、特許法第１２０条の４第３項において準用する同法第１３１条第２項の規定に適合する。
　　　　　　　　　　　　　　　　　　　　　　　　　　　　　　　　　
（２）訂正の内容
　特許権者が求めている訂正は、平成１５年１月２８日付けで方式補正された訂正請求書及びそれに添付された訂正明細書の記載からみて、以下のとおりである。
・訂正事項ａ．
　願書に添付された明細書（以下、「特許明細書」という。）の特許請求の範囲の請求項１の
「浴槽内の湯水を風呂加熱用循環回路を介して風呂加熱用熱交換器に循環させて浴槽内の湯水の追焚きを行うと共に、給湯用熱交換器の湯を風呂加熱用循環回路を介して浴槽に供給して浴槽への湯張りを行なう給湯風呂装置において、風呂加熱用循環回路に設けられた水位検出手段と、浴槽の水位を設定する水位設定手段と、浴槽の水位が浴槽と風呂加熱用循環回路との接続部よりも高いある位置を基準とした水位検出手段の検出水位と水位設定手段の設定水位とを比較して浴槽への給湯を制御する制御装置を備えたことを特徴とする給湯風呂装置。」を、
「浴槽内の湯水を風呂加熱用循環回路を介して風呂加熱用熱交換器に循環させて浴槽内の湯水の追焚きを行うと共に、給湯用熱交換器の湯を風呂加熱用循環回路を介して浴槽に供給して浴槽への湯張りを行なう給湯風呂装置において、風呂加熱用循環回路に設けられた水位検出手段と、浴槽の水位を設定する水位設定手段と、浴槽の水位が浴槽と風呂加熱用循環回路との接続部よりも高いある位置を基準とした水位検出手段の検出水位と水位設定手段の設定水位とを比較して浴槽への給湯を制御する制御装置を備え、この制御装置は、接続部が水封されたときの注湯量に所定の湯量を加えたときの水位検出手段の出力を基準値とするための基準電圧変更回路を有していることを特徴とする給湯風呂装置。」と訂正する。
　
・訂正事項ｂ．
　特許明細書の発明の詳細な説明の段落【０００５】の「…（略）…制御装置を備えたものである。」を、「…（略）…制御装置を備え、この制御装置は、接続部が水封されたときの注湯量に所定の湯量を加えたときの水位検出手段の出力を基準値とするための基準電圧変更回路を有しているものである。」と訂正する。
　
（３）訂正の目的の適否、新規事項の有無及び拡張・変更の存否
・訂正事項ａについて
　訂正事項ａに関連して、特許明細書の段落【００１２】には、「そして、流水スイッチ１９がＯＮ状態になったとき、更に２０ｌを注湯して風呂加熱用循環回路１３及びその接続部を水封させ、このときの浴槽１２の水位を基準として水位検出を行うようにする。即ち、水封されたときの注湯量（４０＋２０ｘ）ｌに２０ｌを付加したときの水位センサ２０の検出水位が基準値となり、このときの入力ポート３１ａへの入力値がマイコン３１と基準電圧変更回路３３とによって「０」に調整される。」と、接続部が水封されたときの注湯量に所定の湯量を加えたときの水位センサ（水位検出手段）の出力を基準値とすることが図２と共に記載されているから、「…制御装置を備えたものである。」を、「…制御装置を備え、この制御装置は、接続部が水封されたときの注湯量に所定の湯量を加えたときの水位検出手段の出力を基準値とするための基準電圧変更回路を有しているものである。」と訂正する訂正事項ａは、特許明細書又は図面に記載された事項の範囲内で、制御装置を、「制御装置は、接続部が水封されたときの注湯量に所定の湯量を加えたときの水位検出手段の出力を基準値とするための基準電圧変更回路を有しているものである」ことを限定するものである。
　したがって、訂正事項ａは、特許明細書又は図面に記載された事項の範囲内で特許請求の範囲を減縮するものであり、新規事項の追加に該当せず、実質上特許請求の範囲を拡張し、又は変更するものではない。
・訂正事項ｂについて
　訂正事項ｂは、特許明細書の発明の詳細な説明の記載を訂正事項ａとの整合を図るものであるから、明りょうでない記載の釈明を目的とした訂正に該当するものであり、新規事項の追加に該当せず、実質上特許請求の範囲を拡張し、又は変更するものではない。
   　
（４）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法第１１６号による改正前の特許法第１２６条第１項ただし書、第２項の規定に適合するので、当該訂正を認める。
     　
３．特許異議申立に対する判断
（１）本件発明
　上記したように、訂正事項ａ、ｂの訂正が認められるから、本件特許の請求項１に係る発明は、上記訂正に係る訂正明細書の特許請求の範囲の請求項１に記載されたとおりのものと認められる。
（上記、２．（２）訂正の内容参照）
     
（２）引用刊行物
　当審が通知した取消しの理由において引用した刊行物は、次のとおりである。
　　刊行物１：　特開平１−９８８５３号公報（異議申立人青野哲巳が提出　　　　　　　　した甲第１号証の刊行物）
　　刊行物２：  特開平２−２９０４５９号公報（異議申立人青野哲巳が提　　　　　　　　出した甲第２号証の刊行物）
　　刊行物３：  特開昭６３−１５３３５５号公報（異議申立人青野哲巳が　　　　　　　　提出した甲第３号証の刊行物）
     　
（３）各刊行物に記載された発明
（イ）刊行物１　
　本件出願前に頒布された上記刊行物１には、自動給湯風呂装置に関し、図面とともに、「浴槽に接続した循環回路の途中に浴槽水位を検出する水位検出手段を備え、自動運転スイッチの投入により所望の浴槽水位まで給湯する自動給湯シーケンスを有するものにおいて、浴槽における前記循環回路の接続口より上位の水位まで自動給湯し、そのときの水位検出手段の出力を基準値として記憶する水位設定シーケンスを設け、電源投入後の初回の自動運転スイッチの投入時に該水位設定シーケンスを実行させるようにしたことを特徴とする自動給湯風呂装置。」（特許請求の範囲）、「浴槽の循環回路の接続口より上位の水位まで自動給湯するには、例えば、少量ずつ給湯を行ない、その都度循環回路にて強制循環動作を行なって循環回路に水流を生じるか否かを判別し、循環水流が所定時間継続することをもって接続口より上位の水位になったことを検出することができる。而して水位設定シーケンスの実行により、基準となる水位まで自動給湯されると共に水位検出手段の基準出力が自動的に記憶され、水位１ｃｍ上昇に対する水位検出手段の出力増加分は既知の値であるから、所望の水位が上記基準水位より何ｃｍ上または下かを見て容易に所望の水位に設定することができる」（第２頁右上欄７〜２０行）こと、「第１図は本発明の実施例を示す自動給湯風呂装置の全体構成図、第２図は同実施例における水位設定シーケンスの主要な動作を示すフローチャート、第３図は同実施例における自動給湯シーケンスの主要な動作を示すフローチャートである。（１）は自動給湯風呂装置の本体であり、浴槽（２）に接続する循環回路（Ａ）と給湯器（Ｂ）等からなり、給湯器（Ｂ）から導出した風呂給湯管（３）を大気開放のタンク（４）に臨ませ、タンク（４）は電気的に駆動される三方切換弁（５）を介して循環回路（Ａ）に接続されている。（６）は循環回路（Ａ）を構成する往管であり、三方切換弁（５）から途中にポンプ（７）、流量センサ（８）、温度センサ（９）、加熱部（１０）を介して浴槽（２）に接続している。（１１）は循環回路（Ａ）を構成する戻り管であり、途中に水位検出手段である圧力センサ（１２）を備えて浴槽（２）と三方切換弁（５）とを接続している。（１３）は往管（６）の流量センサ（８）の下流側から分岐して戻り管（１１）に接続するバイパス管であり、途中にバイパス電磁弁（１４）を介設している。（１５）は自動給湯風呂装置（１）の諸機能を制御するコントローラであり、マイクロコンピュータ等を内蔵している。（１６）浴室や台所等に設置されるリモコンであり、運転スイッチ（１７）、自動運転スイッチ（１８）、温度設定部（１９）、水位設定部（２０）を備える」（第２頁左下欄６〜同頁右下欄１３行）こと、「水位（Ｈ１）までの残水が無いと判定した場合には、再び給湯器（Ｂ）から往管（６）と戻り管（１１）との両方を用いて浴槽（２）に１０ｌの注水を行ない、そして再び循環判定を行なう。このようにして少量の給湯と循環判定をくり返し、循環判定において流量センサ（８）が所定時間継続して水流を検出し、浴槽水位が水位（Ｈ１）に達したと判定すれば、再度往管（６）と戻り管（１１）との両方から浴槽（２）に１０ｌの注水を行ない、浴槽（２）の循環口を完全に水没せしめると共に特に戻り管（１１）内の空気の排出を確実にする。本実施例ではこの時点の浴槽水位（Ｈ２）における圧力センサ（１２）の出力（Ｐ２）から更に３０ｃｍ上位の出力（Ｐ３）を目標として、戻り管（１１）から伝わる圧力を圧力センサ（１２）で検出しながら往管（６）を通して浴槽（２）に給湯を行なう。すなわちバイパス電磁弁（１４）を閉じ、給湯器（Ｂ）から往管（６）のみを用いて給湯し、戻り管（１１）を圧力センサ（１２）の圧力検出管とするのである。而して圧力センサ（１２）の出力がＰ３になったとき給湯を停止し、温度設定部（１９）で設定された温度まで追焚きし、圧力センサ（１２）の出力（Ｐ３）を基準値としてコントローラ（１５）内のメモリに記憶するのである。一方、最初の循環判定で既に水位（Ｈ１）の残水が有ると判定した場合には、往管（６）と戻り管（１１）との両方を用いて浴槽（２）に１０ｌの注水を行ない、その水位より１０ｃｍ上位の水位を基準とするようにしている。而して圧力センサ（１２）の基準出力（Ｐ３）を記憶して水位設定のシーケンスを完了し、その浴槽水位（Ｈ３）を基準水位として使用者は水位設定部（２０）を操作し、好みの水位に設定することができる。」（第３頁右上欄１１行〜同頁右下欄５行）ことが記載されている。
　 
（ロ）刊行物２　
 　本件出願前に頒布された上記刊行物２には、風呂設備の給湯追焚装置に関し、図面とともに、「給湯熱交換器９から大気開放給水部８に導入された湯をポンプ５により送湯経路４を経て浴槽２内に供給することができる。」（第３頁左下欄１６〜１９行）こと、「前述した流量スイッチ６の動作により検出した水位が循環口３よりも下方にある場合には、圧力センサ１２により検出した圧力を初期圧力とし（圧力検出１）、次いで下流側の切換手段１６を切り換えて、第２図（ｂ）に示す状態に於いて浴槽２内に給湯を行う（自動給湯２）。かかる給湯により浴槽内２の水位が上昇して循環口３を越えると、その高さ分の検出圧力上昇が生じ、所定の圧力上昇に於いて給湯を停止する。…（中略）…所定の圧力上昇があった場合には、再び第２図（ｃ）の状態としてポンプ５を短時間運転し（ポンプ運転２）、再度浴槽２内の水位を確認する。この過程に於いては、それまでの給湯に於ける前記追焚戻り経路７の配管内への気泡の流入による誤差や、圧力センサ１２自体による誤差を原因とする見掛け上の水位上昇を検出することができる。即ち、これらの誤差によって水位が前記循環口３に達していなかった場合には流水スイッチ６がＯＮとならないので、この場合には前記一時送湯１過程に戻って再作動させる。一方、この過程に於いて所定の水位が流水スイッチ６のＯＮにより確認された場合にも再度第２図（ａ）に示す状態に於ける一時送湯（一時送湯２）を行う。かかる過程を行うことにより、水位が循環口３のすれすれにあって、前過程、即ちポンプ運転２過程に於いて前記追焚戻り経路７の配管内に気泡が流入したとしても、かかる気泡を排除すると同時に、水位を完全に循環口３よりも上方とすることができる。以上の一連の過程により、経路７を介しての圧力センサ１２による水圧の正確な測定、そして浴槽２内水位の検出が可能となり、この時の検出圧力に対応する水位を基準水位とし、この検出圧力を基準圧力として記憶手段１４の記憶内容を書換え、記憶する。そして以後はこの新たに記憶された圧力を基準圧力として浴槽２の水位を測定することができ、以って設定水位への給湯が可能となる（自動給湯３）。」（第３頁右下欄１９行〜第４頁右上欄１８行）ことが記載されている。
　 
（ハ）刊行物３
 　本件出願前に頒布された上記刊行物３には、自動風呂装置に関し、図面とともに、「（１）は自動風呂装置本体である。（２）は給湯器、（３）は風呂加熱器であり本体（１）に設けられる。（４）は本体（１）より遠隔位置にある浴槽である。（５）は給湯器（３）の出湯管（７）より分岐された風呂給湯管であり、弁（６）が設けられている。（８）（９）は追焚循環管であり、ポンプ（１０）から風呂加熱器（３）を経て浴槽（４）に接続される往管（８）と、浴槽（４）からポンプ（１０）に帰る戻管（９）とからなる。（１２）はポンプ（１０）の吸込側に接続される三方弁であり、一方は戻管（９）に接続され他方はホッパ（１３）に接続されている。ホッパ（１３）は大気に開放して前記風呂給湯器（５）からの湯を縁切りするものである。（１６）はポンプ（１０）の吐出側に設けた三方弁であり、該三方弁（１６）を介して往管（８）から戻管（９）に連絡するバイパス管（１４）が設けられている。該バイパス管（１４）にはバイパス弁（１５）と圧力センサ（１１）とが設けられ、圧力センサ（１１）はアンプ、調整ボリューム、温度補償抵抗等を備えた基板（１７）に取り付けられ、下方をホッパ（１８）に覆われている。ホッパ（１８）は万一圧力センサ（１１）が破損した場合に該圧力センサ（１１）取付部から流出する水を受けて本体（１）外に排出するものである。」（第２頁左上欄８行〜同頁右上欄１３行）こと、「所定時間エアパージした後バイパス弁（１５）が閉成され三方弁（１６）が往管（８）側に切換わって往管（８）から浴槽（４）に湯を搬送し、その間に戻管（９）を介して圧力センサ（１１）に加わる水圧を検出するのである。浴槽（４）の水位が戻管（９）と浴槽（４）との接続部すなわちバスアダプタ（１９）より低位の場合は、本体（１）から浴槽（４）までの配管条件によって戻管（９）内の水が空気に置換される場合がある。そこで適当な時間間隔で湯の搬送経路を戻管（９）側に切換え、圧力センサ（１１）から浴槽（４）までの間が空気が介在しないようにエアパージするのである。そして圧力センサ（１１）がバスアダプタ（１９）より高位の水位（ＬＢ）を検出すると、以後一定時間毎のエアパージのシーケンスはキャンセルされ、往管（８）から浴槽（４）に湯を搬送しながら圧力センサ（１１）の出力を連続的にサンプリングするのである。尚、第２図に示すように浴槽（４）の水位がバスアダプタ（１９）より低位のときには（Ｌ１）（Ｌ２）、圧力センサ（１１）の出力は一定値（ＰＣ）を示し、バスアダプタ（１９）より高位の水位（ＬＢ）になると出力値が増加し（ＰＢ）、以後水位の増加に比例的に対応した出力となるからバスアダプタ（１９）より高位の水位になったことを検出するのは容易に行える。そして圧力センサ（１１）の出力が設定水位（ＬＳ）に対応する値（ＰＳ）になれば自動給湯を終了させるのである。」（第２頁左下欄２行〜同頁右下欄１１行）ことが記載されている。
　また、第１図には、給湯器（２）に熱交換器を設けた点が記載されている。
     　
（４）対比・判断
　上記（３）（イ）で摘示した事項によれば、刊行物１には、浴槽内の湯水を循環回路を介して加熱部に循環させて浴槽内の湯水の追焚きを行うと共に、給湯器の湯を循環回路を介して浴槽に供給して浴槽への湯張りを行なう自動給湯風呂装置において、循環回路に設けられた水位検出手段と、浴槽の水位を設定する水位設定手段と、浴槽の水位が浴槽と循環回路との接続口よりも上位の水位を基準値とした水位検出手段の検出水位と水位設定手段の設定水位とを比較して浴槽への給湯を制御するコントローラを備え、このコントローラは、接続口が水封されたときの注湯量に所定の湯量を加えたときの水位検出手段の出力を基準値とする自動給湯風呂装置が記載されているものと認められる。
　そこで、本件の請求項１に係る発明と刊行物１に記載された発明を対比すると、刊行物１に記載された「浴槽」、「循環回路」、「加熱部」、「追焚き」、「給湯器」、「水位検出手段」、「水位設定手段」、「接続口」、「接続口より上位の水位」を「基準値」、「コントローラ」は、それぞれ、本件の請求項１に係る発明の「浴槽」、「風呂加熱用循環回路」、「風呂加熱用熱交換器」、「追焚き」、「給湯器」、「水位検出手段」、「水位設定手段」、「接続部」、「接続部よりも高い位置を基準」、「制御装置」に相当するから、両者は、浴槽内の湯水を風呂加熱用循環回路を介して風呂加熱用熱交換器に循環させて浴槽内の湯水の追焚きを行うと共に、給湯器の湯を風呂加熱用循環回路を介して浴槽に供給して浴槽への湯張りを行なう給湯風呂装置において、風呂加熱用循環回路に設けられた水位検出手段と、浴槽の水位を設定する水位設定手段と、浴槽の水位が浴槽と風呂加熱用循環回路との接続部よりも高いある位置を基準とした水位検出手段の検出水位と水位設定手段の設定水位とを比較して浴槽への給湯を制御する制御装置を備え、この制御装置は、接続部が水封されたときの注湯量に所定の湯量を加えたときの水位検出手段の出力を基準値とする手段を有している給湯風呂装置の点で一致し、次の点で相違する。
・相違点１
　本件の請求項１に係る発明は、給湯器に給湯用熱交換器があるのに対して、刊行物１には、給湯器に熱交換器が明記されていない点。
・相違点２
　本件の請求項１に係る発明は、制御装置が水位検出手段の出力の基準電圧変更回路を有しているのに対して、刊行物１には、基準電圧変更回路については明記されていない点。
　以下、各相違点について検討する。
・相違点１について
　刊行物２、３のいずれにも、給湯器に熱交換器を設けることが記載されており、しかも刊行物１ないし３に記載された発明は、浴槽の水位が浴槽と風呂加熱用循環回路との接続部よりも高いある位置を基準として圧力センサを確実に水封した時点で圧力を測定する水位検出手段を有する給湯風呂装置の湯はりという共通の課題や共通の作用を有し、かつ、共通の技術分野に属するものであるから、刊行物２又は３に記載された給湯器の熱交換器を刊行物１に記載された発明の給湯器に適用することは、当業者であれば容易になし得たことである。
・相違点２について
　水位等の検出手段に関する制御において、その出力の基準値を設定するために基準電圧変更回路を設けることは、従来周知（例えば、特開平４−１６１８２４号公報、特開平１−１３４１６０号公報参照 ）であり、この周知技術を刊行物１に記載された発明における水位検出手段に関する制御装置に適用することは当業者であれば容易になし得たことである。
　以上のように、相違点１、２は格別な事項ではない。
　そして、本件の請求項１に係る発明の奏する効果も、上記刊行物１ないし３に記載された発明、及び周知技術から予測できる程度のものであって、格別のものではない。　
　したがって、本件の請求項１に係る発明は、刊行物１ないし３に記載された発明、及び周知技術に基づいて当業者が容易に発明をすることができたものである。
　     　
４．むすび
　以上のとおり、本件の請求項１に係る発明についての特許は、特許法第２９条第２項の規定に違反してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年２月１０日（２００３．２．１０）
【訂正の要旨】
（１）（イ）全文訂正明細書中の請求項１の記載「…接続部が水封されたときの注湯量に所定の湯量を加えたときの水位設定手段の出力を基準値と…」を明瞭でない記載の釈明を目的として『…接続部が水封されたときの注湯量に所定の湯量を加えたときの水位検出手段の出力を基準値と…』と補正する。
（２）（イ）全文訂正明細書中の段落【０００５】の記載「…接続部が水封されたときの注湯量に所定の湯量を加えたときの水位設定手段の出力を…」を明瞭でない記載の釈明を目的として『…接続部が水封されたときの注湯量に所定の湯量を加えたときの水位検出手段の出力を…』と訂正する。
（５４）【発明の名称】
給湯風呂装置
（５７）【特許請求の範囲】
　【請求項１】　浴槽内の湯水を風呂加熱用循環回路を介して風呂加熱用熱交換器に循環させて浴槽内の湯水の追焚きを行うと共に、給湯用熱交換器の湯を風呂加熱用循環回路を介して浴槽に供給して浴槽への湯張りを行なう給湯風呂装置において、風呂加熱用循環回路に設けられた水位検出手段と、浴槽の水位を設定する水位設定手段と、浴槽の水位が浴槽と風呂加熱用循環回路との接続部よりも高いある位置を基準とした水位検出手段の検出水位と水位設定手段の設定水位とを比較して浴槽への給湯を制御する制御装置を備え
、この制御装置は、接続部が水封されたときの注湯量に所定の湯量を加えたときの水位検出手段の出力を基準値とするための基準電圧変更回路を有している
【発明の詳細な説明】
　【０００１】
　【産業上の利用分野】
　この発明は自動湯張り機能を有する湯沸し器となる給湯風呂装置に関するものである。
　【０００２】
　【従来の技術】
　従来用いられている熱源（ガス，石油，電気等）により水を加熱し給湯と追焚きを行うようにした給湯風呂装置を、リモコン制御にて風呂自動運転するタイプとしては、例えば図１に示すものがあった。このものでは、給湯用熱交換器１からの湯を風呂加熱用循環回路１３を経て浴槽１２に注湯する場合、先ず、風呂加熱用熱交換器１６に循環する前記風呂加熱用循環回路１３の風呂ポンプ１８を駆動し同風呂流水スイッチ１９がＯＮしない事を確認し、注湯弁６，９を開いて所定水量を注湯する。その後、風呂ポンプ１８を駆動させ風呂流水スイッチ１９のＯＮを確認し、ＯＮしない場合に注湯と風呂ポンプ１８の駆動を繰り返し、風呂流水スイッチ１９がＯＮした時点における浴槽水位センサ２０の出力値を基準水位として記憶していた。
　【０００３】
　【発明が解決しようとする課題】
　しかし、この種の浴槽水位センサ２０は、風呂加熱用循環回路に設けらた水位センサと浴槽間が水封され、その水圧を検出しているため、風呂流水スイッチがＯＮしても図４（Ａ），（Ｂ）に示すように浴槽１２に臨む風呂加熱用循環回路１３の往管口ａと戻り管口ｂが、水平配列のアダプターで双方とも径半分しか水没しない状態とか、往管口ａと戻り管口ｂが上下に配列したアダプターだと、完全な水封状態となっていないため、基準水位が正確でないことがあった。
　【０００４】
　本発明は上記実情に鑑み、風呂加熱用循環回路が完全に水封されたときに基準水位が設定されるようにし、上記課題を解決する給湯風呂装置を提供することを目的としたものである。
　【０００５】
　【課題を解決するための手段】
　本発明は、浴槽内の湯水を風呂加熱用循環回路を介して風呂加熱用熱交換器に循環させて浴槽内の湯水の追焚きを行うと共に、給湯用熱交換器の湯を風呂加熱用循環回路を介して浴槽に供給して浴槽への湯張りを行なう給湯風呂装置において、風呂加熱用循環回路に設けられた水位検出手段と、浴槽の水位を設定する水位設定手段と、浴槽の水位が浴槽と風呂加熱用循環回路との接続部よりも高いある位置を基準とした水位検出手段の検出水位と水位設定手段の設定水位とを比較して浴槽への給湯を制御する制御装置を備え
、この制御装置は、接続部が水封されたときの注湯量に所定の湯量を加えたときの水位検出手段の出力を基準値とするための基準電圧変更回路を有している
　【０００６】
　【作用】
　上記のような構成のため、給湯用熱交換器から導いた湯を注湯弁を開き注湯カウンタを経て浴槽へ流入せしめ湯張りとする。この場合、浴槽の水位検出は、浴槽に接続の風呂加熱用熱交換器へ循環する追焚き回路となる風呂加熱用循環回路に設けた水位検出手段にて行う。また、該水位検出手段となる水位センサによる水位検出は浴槽壁に取付ける風呂加熱用循環回路と接続部が水封されたときの水位を基準として行われるようになっているが、実際には接続部となる往管口と戻り管口が完全に水封されていないときの水位が基準水位となる心配があるため、風呂加熱用循環回路での水封が検出された後にもう１回所定量の湯を加え、この水位を基準水位として設定し、安定した浴槽水位を得るものである。
　【０００７】
　【実施例】
　以下、本発明を実施例の図面に基づいて説明すれば、次の通りである。
　【０００８】
　図１は風呂浴槽に対し給湯と追焚きの二つの機能をもつ給湯風呂装置を示し、１は給湯バーナーモータ２を有するガスバーナー３を備えた給湯用熱交換器で、該給湯用熱交換器１から給湯サーミスタ４を経て導出した給湯管５には注湯弁６とオーバーフロー弁７のホッパ８及び注湯弁９と逆止弁１０と風呂注湯カウンタ１１を配設し、該給湯管５の先端を浴槽１２に接続した風呂加熱用循環回路１３の戻り管路１３ｂに接続されて浴槽１２へ連通する。また、前記風呂加熱用循環回路１３に配置したバーナーモータ１４を有するガスバーナー１５を備えた風呂用熱交換器１６の往管路１３ａに風呂サーミスタ１７と風呂ポンプ１８と流水スイッチ１９及び前記風呂サーミスタ１７の手前位置に半導体圧力センサ等の水位センサ２０を配設し、且つ風呂用熱交換器１６を出た戻り管路１３ｂに出湯サーミスタ２１を配設し、これら全体の構成で給湯風呂装置２２となる。尚、図中、２３は給湯用熱交換器側ガス管２４の給湯比例弁で、２５は給湯ガス弁であり、２６は風呂用熱交換器側ガス管２７の風呂比例弁で、２８は風呂ガス弁であり、２９は前記双方のガス管２４，２７の共通ガス弁を示す。
　【０００９】
　次にこの作用を説明すると、先ず浴槽１２への湯張りに際し、この給湯風呂装置２２はリモコン３０にて遠隔制御されるマイコン３１が組込まれ、マイコン３１には図２で示すように第１入力ポート３１ａには増幅回路３２を介して前記水位センサ２０が接続され、出力ポート３１ｃには基準電圧変更回路３３が接続され、且つ第２入力ポート３１ｂに流水スイッチ１９が接続され、またマイコン３１の入力側には風呂サーミスタ１７，出湯サーミスタ２１，給湯サーミスタ４が接続されており、出力側に風呂ポンプ１８，注湯弁６，注湯弁９，オーバーフロー弁８，共通ガス弁２９，給湯ガス弁２５，給湯比例弁２３，風呂ガス弁２８，風呂比例弁２６，バーナーモータ２，１４等が接続されている。
　【００１０】
　ここにおいて、浴槽１２内に湯水がない状態では、リモコン３０の風呂自動運転スイッチ３４を押すと、風呂ポンプ１８が駆動し、流水スイッチ１９のＯＮ／ＯＦＦ動作をチェックする。流水スイッチ１９がＯＦＦ状態であると、注湯弁６，９を開き、給湯用バーナ３を燃焼させて所定の設定温度に加熱された湯を浴槽１２に注ぐものである。
　【００１１】
　所定量（例えば４０１程度）の注湯が終了したことを注湯カウンタ１１にて検出したところで、前記注湯弁６，９を閉じ、風呂ポンプ１８を駆動して浴槽１２の湯を循環させ流水スイッチ１９のＯＮ／ＯＦＦ動作をチェックする。このとき、流水スイッチ１９がＯＦＦ状態である場合には、流水スイッチ１９がＯＮ状態となるまで注湯動作（２回目以後は２０１程度）を繰返す。
　【００１２】
　そして、流水スイッチ１９がＯＮ状態になったとき、更に２０１を注湯して風呂加熱用循環回路１３及びその接続部を水封させ、このときの浴槽１２の水位を基準として水位検出を行うようにする。即ち、水封されたときの注湯量（４０＋２０ｘ）１に２０１を付加したときの水位センサ２０の検出水位が基準値となり、このときの入力ポート３１ａへの入力値がマイコン３１と基準電圧変更回路３３とによって「０」に調整される。
　【００１３】
　【発明の効果】
　上述のように、本発明の給湯風呂装置は例えば風呂ポンプの駆動で流れる湯水を検出する水流スイッチのＯＮ状態の後に再び所定量注湯することにより浴槽と水位センサが完全に水封となるため（風呂金具が完全に注湯された時点）、これを風呂の基準水位とすることで、正確な水位検出が可能となり、安定した風呂水位を得る効果を有する。
【図面の簡単な説明】
　【図１】
　本発明の実施例を示す給湯風呂装置の概略図である。
　【図２】
　同マイコン制御の説明図である。
　【図３】
　同リモコン部の説明図である。
　【図４】
　浴槽に対する風呂加熱用循環回路の接続部を示す説明図で、（Ａ）は接続部の往管口と戻り管口が水平配置の場合で、（Ｂ）は接続部の往管口と戻り管口が垂直配置の場合である。
　【符号の説明】
　　１　　給湯用熱交換器
　　６，９　　注湯弁
　１１　　風呂注湯カウンタ
　１２　　浴槽
　１３　　風呂加熱用循環回路
　１６　　風呂加熱用熱交換器
　１８　　風呂ポンプ
　１９　　流水スイッチ
　２０　　水位センサ